(57)【要約】【課題】グロメットが縮まろうとする力が如何に強くとも、簡単な操作でグロメットをスムーズに挿入治具の外側を滑らせながら嵌め付けることができ、以て、グロメット挿入作業の効率化を図ることができるグロメット挿入治具を提供することを課題とする。【解決手段】ロッド状のグロメット挿入部１と、ワイヤーハーネスのコネクタ部を収納する空間を有するコネクタ収納部２と、グロメット挿入部１とコネクタ収納部２との間に位置して、グロメット挿入部１からコネクタ収納部２に向かって外径が漸次増大するテーパー部３とから成り、テーパー部３にグロメット挿入部の長さ方向に伸びるローラー溝７が数条形成され、各ローラー溝７に複数のフリーローラー８が、その周面の一部がテーパー部３の斜面から少し出て、自由回転するように配設されている。【選択図】図１
0003209267.tif 000002
【実用新案登録請求の範囲】
【請求項１】
グロメットにワイヤーハーネスを挿通する装置において用いられる治具であって、
グロメット内径より小さい外径を有するロッド状のグロメット挿入部と、ワイヤーハーネスのコネクタ部を収納する空間を有するコネクタ収納部と、前記グロメット挿入部と前記コネクタ収納部との間に位置して、  前記グロメット挿入部から前記コネクタ収納部に向かって外径が漸次増大するテーパー部とから成り、
前記テーパー部に前記グロメット挿入部の長さ方向に伸びるローラー溝が数条形成され、前記各ローラー溝に複数のフリーローラーが、その周面の一部が前記テーパー部の斜面から少し出て、前記長さ方向に自由回転するように配設されていることを特徴とするグロメット挿入治具。
【請求項２】
前記ローラー溝は、前記テーパー部の径に応じて３列以上形成される、請求項１に記載のグロメット挿入治具。
【請求項３】
前記フリーローラーは、その軸が前記ローラー溝の両側壁に形成されたカシメ溝に圧入されて設置されている、請求項１又は２に記載のグロメット挿入治具。
【考案の詳細な説明】
【技術分野】
【０００１】
本考案は、グロメット挿入治具に関するものであり、より詳細には、車両のドアの開閉部等に用いられる長尺のグロメットに、ワイヤーハーネス等を挿通するグロメット挿通装置において用いられるグロメット挿入治具に関するものである。
【背景技術】
【０００２】
自動車等の車両の電装品は、ＩＴ技術の進歩に伴って非常に高度化し且つ複雑化し、情報等を伝達する配線の接続部には高い信頼性が求められる。そのため、コネクタの信頼性を向上させると共に、車体等のワイヤーハーネス貫通部における防水、防音、ワイヤーハーネスの損傷防止等のために、配線用グロメットが多用されるようになってきた。また、電装品の多様化・高度化により、ドア等の開閉部にも各種電装品が配設されるようになり、車体とドアの開閉部等には、従来の配線用グロメットよりも可撓性に富む、中間に蛇腹部を有する長尺グロメットが用いられるようになった。
【０００３】
従来、ワイヤーハーネスを配線用グロメットに挿通させる器具としては、複数の可動板に取付けた複数のピンにグロメットを挿入し、前記可動板を放射状に移動させてピンの間隔を拡げてグロメット胴部を拡張し、この拡張した中にワイヤーハーネスを通す装置が一般的であった（特許文献１）。しかるに、この装置の場合は、グロメットの胴部を拡張するためのピンが片持ち構造であるため、上述した細長い蛇腹状の中間部を有するグロメットに対しては、長いピンを用いてもピンの先端側がグロメットの収縮力に負けて開かず、十分な拡張が不可能であり、上述の細長い蛇腹状の中間部を有するグロメットに適用することはできなかった。
【０００４】
従って、従来ワイヤーハーネスに上述したような長尺グロメットを挿通させる場合は、手作業に頼らざるを得なかった。具体的には、配線を挿通させる治具を用いて、端子を取付けただけの状態の配線を挿通させ、その後に端子をコネクタに挿入する手作業となる（特許文献２）。しかし、コネクタに後から端子を挿入する場合は、誤配線の危険性が絶無とはいえず、結局は、ワイヤーハーネスの品質検査に多大な時間とコストを要する結果となっていた。
【０００５】
この問題を解決するため、両持ちのピンを用いて長尺グロメットを拡張する装置（例えば、特許文献３）や、グロメットに複数のワイヤを通し、各ワイヤを両側から張り拡げ、長尺グロメットを拡張する装置（例えば、特許文献４）が提案されている。
【０００６】
上記提案のうち、両持ちの複数のピンを用いて長尺グロメットを拡張する装置の場合は、ピンの束の片方の支持体を外してグロメットを挿入し、再度該支持体に各ピンを装着する作業を要するため作業性が悪く、また、ピンに強度を持たせるためにピンの径を太くすると長尺グロメットをピンの束に挿入すること自体が困難になるという問題があった。また、グロメットに複数のワイヤを通して各ワイヤを張り拡げる装置も、グロメットに複数のワイヤを通しその複数のワイヤの一端をそれぞれ所定の位置にセットする煩雑な作業が必要であり、更に、ワイヤーハーネス挿通後にグロメット内のワイヤーハーネスの隙間から当該ワイヤを引き抜く必要があるため、この装置も作業性に問題がある。
【０００７】
更に、上記いずれの装置においても、数本のピン若しくはワイヤで長尺グロメットの蛇腹部を拡張するため、グロメットのピン等が接している箇所が相対的に強く引き延ばされ、グロメットの部分的な損傷による耐久性低下への影響が懸念される。
【０００８】
かかる背景の下に本考案者は先に、長尺グロメットにワイヤーハーネスを挿通する際にグロメットを局部的に引き延ばすことなく、ワイヤーハーネスにコネクタを付けた状態で長尺グロメットを挿通することができる、長尺グロメット挿通装置の提案をしている（特許文献５）。
【先行技術文献】
【特許文献】
【０００９】
【特許文献１】実開平４−９７６６５号公報
【特許文献２】特開平５−１６１２２９号公報
【特許文献３】特開２００１−２５１４０号公報
【特許文献４】特開２００４−３１２８５０号公報
【特許文献５】実用新案登録第３１２０３４４号公報
【考案の概要】
【考案が解決しようとする課題】
【００１０】
上記提案に係る長尺グロメット挿通装置においては、一端にグロメット内径より小さい外径を有するロッド状のグロメット挿入部と、他端にワイヤーハーネスのコネクタ部の収納空間を内部に有するコネクタ収納部と、前記ロッド状のグロメット挿入部から前記コネクタ収納部に向かって外径が漸次増大するテーパー部とからなるグロメット挿入治具が用いられる。この挿入治具の場合、グロメットが挿入治具の外側を滑りながら移動することを想定しているが、実際には、グロメットが縮まろうとする力が強いために滑りにくい。
【００１１】
そのため特許文献５においては、グロメット挿入治具の表面はグロメットとの摩擦抵抗が小さくなる構造及び素材が好ましいので、例えば、表面にメッキを施し平滑性を高めたり、表面の長手方向に複数の突条又は溝を設けグロメットとの接触面積を減少させたり、表面にフッ素樹脂等の摩擦係数の小さい素材をコーティングしたり、アルマイト加工処理を施したりすることが推奨されているが、いずれもスムーズな滑りを実現し得るものではなく、これを以て、容易且つ迅速なグロメット挿入作業を行うことはできない。
【００１２】
そこで本考案は、グロメットが縮まろうとする力が如何に強くとも、簡単な操作でグロメットをスムーズに挿入治具の外側を滑らせながら嵌め付けることができ、以て、グロメット挿入作業の効率化を図ることができる、グロメット挿入治具を提供することを課題とする。
【課題を解決するための手段】
【００１３】
上記課題を解決するための請求項１に記載の考案は、グロメットにワイヤーハーネスを挿通する装置において用いられる治具であって、グロメット内径より小さい外径を有するロッド状のグロメット挿入部と、ワイヤーハーネスのコネクタ部を収納する空間を有するコネクタ収納部と、前記グロメット挿入部と前記コネクタ収納部との間に位置して、前記グロメット挿入部から前記コネクタ収納部に向かって外径が漸次増大するテーパー部とから成り、前記テーパー部に前記グロメット挿入部の長さ方向に伸びるローラー溝が数条形成され、前記各ローラー溝に複数のフリーローラーが、その周面の一部が前記テーパー部の斜面から少し出て、前記長さ方向に自由回転するように配設されていることを特徴とするグロメット挿入治具である。
【００１４】
前記ローラー溝は、前記テーパー部の径に応じて３列以上形成される。また、前記フリーローラーは、その軸が前記ローラー溝の両側壁に形成されたカシメ溝に圧入されて設置される。
【考案の効果】
【００１５】
本考案に係るグロメット挿入治具は上記構成であるので、この治具によれば、ワイヤーハーネスを長尺グロメットに挿通する際に最も障害となるコネクタ部分をグロメット挿通治具の内部に収納し、且つ、長尺グロメットが挿入治具の外側を滑りながら移動するようにしたので、長尺グロメットに局部的な拡張力が加わらないためグロメットを損傷することなく、コネクタの付いた状態のワイヤーハーネスを容易且つ迅速に挿通させることができる。
【００１６】
そして、本考案に係るグロメット挿入治具の場合は、テーパー部にグロメット挿入部の長さ方向に伸びるローラー溝が数条形成され、各ローラー溝に複数のフリーローラーが、その周面の一部がテーパー部の斜面から少し出て、長さ方向に自由回転するように配設されているため、その部分を通過する長尺グロメットは縮まろうとして多数のフリーローラーに強く接触しても、各フリーローラーの自由回転に助けられてその部分を抵抗なくスムーズに通過可能となるので、長尺グロメットの挿入作業を効率よく行うことが可能となる効果がある。
【図面の簡単な説明】
【００１７】
【図１】本考案に係るグロメット挿通治具の要部斜視図である。
【図２】図１におけるＡ−Ａ線断面拡大図である。
【図３】本考案に係るグロメット挿通治具の作用（第１段階）を示す斜視図である。
【図４】本考案に係るグロメット挿通治具の作用（第２段階）を示す斜視図である。
【図５】本考案に係るグロメット挿通治具の使用方法を示す図である。
【図６】本考案に係るグロメット挿通治具を使用するグロメット挿通装置の構成及び使用方法を示す斜視図である。
【考案を実施するための形態】
【００１８】
本考案を実施するための形態について、添付図面に依拠して説明する。図１は本考案に係るグロメット挿入治具１０の要部斜視図であり、そこに示されるように、本治具は、長尺グロメット１１の内径より小さい外径を有するロッド状のグロメット挿入部１と、ワイヤーハーネス１２のコネクタ部１４を収納する空間を有するコネクタ収納部２と、グロメット挿入部１とコネクタ収納部２との間に位置して、グロメット挿入部１からコネクタ収納部２に向かって外径が漸次増大するテーパー部３とから成る。
【００１９】
グロメット挿入部１はその先端部に、後述するグロメット挿入装置の牽引部２２に連結される連結手段５を有する。その連結手段５は任意で、例えば、グロメット挿入の障害にならず、且つ、脱着が容易な連結手段である、ピン、カプラ、ねじ、クランプ等の連結構造とすることができる。
【００２０】
コネクタ収納部２はワイヤーハーネス１２のコネクタ部１４を収納する空間を有し、また、コネクタ収納部２に、グロメット挿通途中でコネクタ部１４が脱落しないように係止する開閉ストッパ６が設けられる。開閉ストッパ５は、後端部がヒンジ止めされ、先端部にフックが形成されたものである。この開閉ストッパ６を開いた状態でコネクタ収納部２内にワイヤーハーネス１２のコネクタ部１４の収納が可能となり、それを閉じることにより、ワイヤーハーネス１２のコネクタ部１４が開閉ストッパ６のフックに引っ掛かることで、その抜けが防止される（図５（Ａ））。
【００２１】
テーパー部３には、グロメット挿入部１の長さ方向に伸びるローラー溝７が数条形成され、各ローラー溝７に複数のフリーローラー８が、その周面の一部がローラー溝７の縁部から少し飛び出た状態で、グロメット挿入部１の長さ方向に自由回転するように配備される。ローラー溝７の形成数はテーパー部３の径によって異なり、通例、３〜１０列程度とされ（図示した例では８列）、その長さも一定とは限らず、長尺のものと短尺のものとを混在させてもよい。また、フリーローラー８の設置数はローラー溝７の長さにより異なり、図示した例では５個設置されている。例えば、フリーローラー８は、その軸が、ローラー溝７の両側壁に形成されたカシメ溝９に圧入されて設置される。
【００２２】
図６は、本考案に係るグロメット挿入治具１０を使用して、長尺グロメット１１にワイヤーハーネス１２を挿通するためのグロメット挿通装置の構成例を示すもので、その装置は、前面に、グロメット挿入治具１０の外径に応じて開口径が変化するグロメット係止部２１を備え、該グロメット係止部２１の後方に、グロメット挿入治具１０のグロメット挿入部１の先端に設けた連結部５に連結して、グロメット挿入治具１０を所定距離牽引する牽引部２２を備えたものである。
【００２３】
図５（Ａ）に示すように、長尺グロメット１１に挿通するワイヤーハーネス１２のコネクタ１４を、寸法が小さいものから順次挿入治具１０後端のコネクタ収容部２に入れ、最後にコネクタ脱落防止用の開閉ストッパ６をセットする。そして、他端のロッド状のグロメット挿入部１に所定の長尺グロメット１１を挿入する（図５（Ｂ））。この状態の挿入治具１０を、グロメット挿入治具牽引装置２２の前面に配設した、スプリング等で閉方向に付勢されグロメット挿入治具１０の外径に応じて開口寸法が変化する、グロメット係止部２１の開口部２３に差し込み、グロメット挿入部１先端の連結部５を牽引部２２に固定する（図５（Ｃ））。
【００２４】
この状態で牽引装置２２を用いてグロメット挿入治具１０を牽引すると、長尺グロメット１１はグロメット係止部２１によってその一端の移動が遮られるため、牽引部２２との協働作用によって扱かれ、他端は順次挿入治具１０のテーパー部３でその内径を拡張されつつコネクタ収納部２の方向に進んでいく。
【００２５】
牽引部２２はグロメット挿入治具１０のコネクタ収納部２の端部がグロメット係止部２１を通過する直前で牽引を停止する。この位置において、長尺グロメット１１は自己の収縮力により自然に元の形状に戻りながらワイヤーハーネス１２の電線部分に移動し、挿通工程が終了する。挿通終了後、コネクタ収納部２の開閉ストッパ６を開き、コネクタ収納部２からコネクタ１４を取り出して、長尺グロメット１１へのワイヤーハーネス１２の挿通作業が完了する（図５（Ｄ））。
【００２６】
上記のとおり、本考案に係るグロメット挿入治具１０の場合は、テーパー部３にグロメット挿入部１の長さ方向に伸びるローラー溝７が数条形成され、各ローラー溝７に複数のフリーローラー８が、その周面の一部がテーパー部３の斜面から少し出て、長さ方向に自由回転するように配設されているため、その部分を通過する長尺グロメット１１は縮まろうとして多数のフリーローラー８に強く接触しても、各フリーローラー８の自由回転に助けられてその部分を抵抗なくスムーズに通過可能となるので、長尺グロメット１１の挿入作業を効率よく行うことが可能となる。
【符号の説明】
【００２７】
１        グロメット挿入部
２        コネクタ収納部
３        テーパー部
５        連結部
６        開閉ストッパ
７        ローラー溝
８        フリーローラー
９        カシメ溝
１０      グロメット挿入治具
１１      長尺グロメット
１２      ワイヤーハーネス
１４      コネクタ    
２１      グロメット係止部
２２      牽引部  
２３      開口部
【図１】
0003209267.tif 000003
【図２】
0003209267.tif 000004
【図３】
0003209267.tif 000005
【図４】
0003209267.tif 000006
【図５】
0003209267.tif 000007
【図６】
0003209267.tif 000008